(57)【要約】【課題】機器の本来機能の操作とは異なる特殊な設定変更におけるスイッチ誤操作による意図しない設定を防止し、使い勝手のよいリモコン装置およびリモコン装置を備えた衛生洗浄装置を提供する。【解決手段】互いに離れて操作面に配置された複数の操作スイッチ４〜１６を有する機器のリモコン本体１を備え、サービスマン等の一般ユーザーでない人が機器に特殊な設定を行う時は、誤操作の起こらないように互いに離れている前記複数の操作スイッチを一定時間同時に操作する構成にしたものである。【選択図】図１
2010065495.tif 000002
【特許請求の範囲】
【請求項１】
互いに離れて操作面に配置された複数の操作スイッチを有する機器のリモコン本体を備え、サービスマン等の一般ユーザーでない人が前記機器に特殊な設定を行う時は、誤操作の起こらないように互いに離れている前記複数の操作スイッチを一定時間同時に操作する構成にしたことを特徴とするリモコン装置。
【請求項２】
リモコン本体は、操作面の一部に設けた開閉自在の蓋体と、前記蓋体に覆われない前記操作面に配置した操作スイッチと、前記蓋体の外面に配置した操作スイッチと、前記蓋体を閉じた時に覆われる内側の前記操作面に配置した操作スイッチを有し、誤操作の起こらないように互いに離れ、かつ一定時間同時に操作する複数の操作スイッチは、前記蓋体を閉じた時に覆われる内側の前記操作面の操作スイッチであることを特徴とする請求項１に記載のリモコン装置。
【請求項３】
誤操作の起こらないように互いに離れ、かつ一定時間同時に操作する複数の操作スイッチは、蓋体に覆われないリモコン本体の操作面の操作スイッチと、蓋体を閉じた時に覆われる内側の操作面の操作スイッチであることを特徴とする請求項２に記載のリモコン装置。
【請求項４】
請求項１〜３に記載のいずれか１項に記載のリモコン装置において、ユーザーが行う機器の使用頻度の低い設定変更を行う時は、サービスマン等の一般ユーザーでない人が行う特殊な設定時に同時操作する複数の操作スイッチと同じ操作スイッチを同時に操作し、かつサービスマン等の一般ユーザーでない人が行う特殊な設定時における複数の操作スイッチの同時操作の一定時間のみを異なる時間の構成にしたことを特徴とするリモコン装置。
【請求項５】
ユーザーが行う機器の使用頻度の低い設定変更に要する複数の操作スイッチの同時操作を確定する時間は、サービスマン等の一般ユーザーでない人が行う特殊な設定に要する一定時間よりも短くしたことを特徴とする請求項４に記載のリモコン装置。
【請求項６】
請求項１〜５のいずれか１項に記載のリモコン装置を備えたことを特徴とする衛生洗浄装置。
【発明の詳細な説明】
【技術分野】
【０００１】
本発明は、リモコン装置およびリモコン装置を備えた機器に関する。
【背景技術】
【０００２】
電気機器を遠隔操作するための操作手段として、一般に、赤外線式や無線式のリモコン装置が用いられることが多い。また、リモコン装置を利用して、ユーザーの通常操作だけでなく、施工者やサービスマンが行う特殊設定や、ユーザーの好みに合わせたカスタム設定を行うことが多い。これは専用の設定機器を準備する必要がなく、コスト面やユーザーやサービスマンの利便性といった面で有用な方法である。この場合、スイッチ誤操作による意図しない設定を防止するために、通常の単独スイッチの一度押しとは異なる、一定時間の押し続けや、複数スイッチの同時押しなどの方法がとられている（例えば特許文献１参照）。  
【特許文献１】特開２００６−３４３０１４号公報
【発明の開示】
【発明が解決しようとする課題】
【０００３】
しかしながら、上記のような従来のリモコン装置においては、スイッチが小さい、または使用者の手の指が大きい場合に、誤って隣り合ったスイッチを同時に押してしまい、意図しない特殊設定変更を行ってしまう恐れがあった。また、幼児のいたずら等で離れて配置されているスイッチであっても同様に、意図しない特殊設定変更を行ってしまう恐れがあった。
【０００４】
上記従来の技術の問題点に鑑み、本発明が解決しようとする課題は、機器の本来機能の操作とは異なる特殊な設定変更におけるスイッチ誤操作による意図しない設定を防止し、使い勝手のよいリモコン装置およびリモコン装置を備えた衛生洗浄装置を提供することにある。
【課題を解決するための手段】
【０００５】
第１の発明に係るリモコン装置は、互いに離れて操作面に配置された複数の操作スイッチを有する機器のリモコン本体を備え、サービスマン等の一般ユーザーでない人が前記機器に特殊な設定を行う時は、誤操作の起こらないように互いに離れている前記複数の操作スイッチを一定時間同時に操作する構成にしたものである。このリモコン装置においては、操作スイッチが小さい、または使用者の手の指が大きい場合に、誤って隣り合った操作スイッチを同時に押し、意図しない特殊設定変更を行ってしまうことを防止することができる。
【０００６】
第２の発明に係るリモコン装置は、第１の発明において、リモコン本体は、操作面の一部に設けた開閉自在の蓋体と、前記蓋体に覆われない前記操作面に配置した操作スイッチと、前記蓋体の外面に配置した操作スイッチと、前記蓋体を閉じた時に覆われる内側の前記操作面に配置した操作スイッチを有し、誤操作の起こらないように互いに離れ、かつ一定時間同時に操作する複数の操作スイッチは、前記蓋体を閉じた時に覆われる内側の前記操作面の操作スイッチである。
【０００７】
このリモコン装置においては、蓋体を開けた後に、複数のスイッチを同時に操作するという蓋体と複数の操作スイッチの２段階の操作を行うため、さらに誤操作を防止することができる。
【０００８】
第３の発明に係るリモコン装置は、第２の発明において、誤操作の起こらないように互いに離れ、かつ一定時間同時に操作する複数の操作スイッチは、蓋体に覆われないリモコン本体の操作面の操作スイッチと、蓋体を閉じた時に覆われる内側の操作面の操作スイッチである。このリモコン装置においては、意図的でなければ、同時に押す可能性が低い配置のスイッチを用いるため、さらに誤操作を防止することができる。
【０００９】
第４の発明に係るリモコン装置は、第１〜第３のいずれかに記載の発明において、ユーザーが行う機器の使用頻度の低い設定変更を行う時は、サービスマン等の一般ユーザーでない人が行う特殊な設定時に同時操作する複数の操作スイッチと同じ操作スイッチを同時に操作し、かつサービスマン等の一般ユーザーでない人が行う特殊な設定時における複数の操作スイッチの同時操作の一定時間のみを異なる時間の構成にしたものである。
【００１０】
このリモコン装置においては、ユーザーが行う使用頻度の低い設定変更においても、操作スイッチの誤操作による意図しない設定を防止することができる。
【００１１】
第５の発明に係るリモコン装置は、第４の発明において、ユーザーが行う機器の使用頻度の低い設定変更に要する複数の操作スイッチの同時操作を確定する時間は、サービスマン等の一般ユーザーでない人が行う特殊な設定に要する一定時間よりも短くしたものである。このリモコン装置においては、操作スイッチの誤操作を防止しつつも、ユーザーの意図的な設定操作を使い勝手よく行うことができる。
【００１２】
第６の発明に係る衛生洗浄装置は、第１〜第５のいずれかに記載の発明のリモコン装置を備えたものである。この衛生洗浄装置においては、使い勝手を損なわずに、機器の本来機能の操作とは異なる使用頻度の低い設定変更操作における操作スイッチの誤操作による意図しない設定を防止することができる。
【発明の効果】
【００１３】
本発明のリモコン装置は、機器の本来機能の操作とは異なる特殊な設定変更におけるスイッチ誤操作による意図しない設定を防止し、使い勝手のよいリモコン装置およびリモコン装置を備えた衛生洗浄装置を提供することができる。
【００１４】
本発明の課題は、第１の発明から第６の発明を実施の形態の要部とすることにより達成できるので、各請求項に対応する実施の形態の詳細を、以下に図面を参照しながら説明し、本発明を実施するための最良の形態の説明とする。なお、この実施の形態によって本発明が限定されるものではない。
【発明を実施するための最良の形態】
【００１５】
（実施の形態１）
図１は図４に示す衛生洗浄装置に搭載したリモコン装置の例を以って説明する、本発明の実施の形態１におけるの操作面の正面図で、図２は同リモコン装置の蓋体を開いた時の要部正面図で、図３（ａ）は同リモコン装置におけるサービスマンによる特殊な設定時の操作する複数の操作スイッチの組合せテーブルの図で、図３（ｂ）は同リモコン装置におけるユーザ設定の操作する複数の操作スイッチの組合せテーブルの図で、図４は図１に示す本発明のリモコン装置を搭載した本発明の衛生洗浄装置を有する便座装置及び便器の斜視図である。なお、以下の説明において、操作スイッチとは、操作釦とこの操作釦の押し操作によりＯＮ、ＯＦＦするスイッチ機構を指すものである。
【００１６】
横長のリモコン本体１は、操作スイッチのＯＮ、ＯＦＦにより図４に示す機器である衛生洗浄装置１７に向って無線、または赤外線により信号を送り、衛生洗浄装置１７の運転、停止及び各機能の操作を行うもので、操作面の一部に、リモコン本体１の中央部より下
端までの幅で、下端を支点に図示矢印のように開閉自在に設けた蓋体２と、蓋体２に覆われない操作面１ａに配置した複数の操作スイッチ７〜１２と、蓋体２の外面に配置した複数の操作スイッチ４〜６と、蓋体２を閉じた時に覆われる内側の操作面１ｂ（図２に示す）に配置した複数の操作スイッチ４〜６および複数の操作スイッチ１３〜１６を有している。
【００１７】
蓋体２の複数の操作スイッチ４〜６において、４は衛生洗浄装置の各種機能の動作を停止させる停止スイッチ、５は肛門を洗浄するおしりスイッチ、６はビデ洗浄を行うビデスイッチであり、衛生洗浄装置の中でも、特に主要な機能であるため、蓋体２の外面と、蓋体２に覆われている内側の操作面１ｂの双方に相対向して設けられ、閉じた蓋体２の外面側と蓋体２の開成で現れた操作面１ｂ側の双方から操作可能な構成としている。
【００１８】
また、蓋体２のない操作面１ａの複数の操作スイッチ７〜１２において、７は排便を促進させるために衛生洗浄装置１７の洗浄機構１８より肛門に噴射する洗浄水の洗浄強さを自動的に一定周期で変化させるリズムスイッチで、８は同じく洗浄強さを弱くする弱スイッチで、９は同じく洗浄強さを強くする強スイッチである。１０は広範囲を洗浄するために、衛生洗浄装置１７の洗浄機構１８よりの洗浄水の到達位置を自動的に一定周期で変化させるムーブスイッチで、１１は同じく洗浄水の到達位置を前へ移動させる前スイッチで、１２は同じく洗浄水の到達位置を後へ移動させる後スイッチである。
【００１９】
また、閉じた蓋体２に覆われる操作面１ｂに配置した複数の操作スイッチ１３〜１６において、１３は洗浄機構１８の洗浄水の温度を切替える温水温度スイッチで、１４は衛生洗浄装置１７の使用時の暖房機能付きの便座１９の表面設定温度を切替える便座温度スイッチで、１５は一定時間、便座１９の通電を停止する省エネスイッチで、１６は高温水で洗浄機構１８の洗浄ノズルを除菌するノズル除菌スイッチであり、比較的に操作頻度の低い機能であるため、閉じた蓋体２に覆われる操作面１ｂに配置されている。
【００２０】
以上説明した操作スイッチ４〜１６において、それぞれの操作スイッチは隣接する同志が互いに離して配置しているが、特に、停止スイッチ４とビデスイッチ６、そして、ノズル除菌スイッチ１６と温水温度スイッチ１３、そして、前スイッチ１１とノズル除菌スイッチ１６、そして、停止スイッチ４と後スイッチ１２のそれぞれの操作スイッチは、操作する人の指の太さによる誤操作、それ以外の従来の技術で説明した誤操作が容易に起こらない距離に互いに離れて操作面に配置しているものである。
【００２１】
そして、停止スイッチ４とビデスイッチ６、ノズル除菌スイッチ１６と温水温度スイッチ１３、前スイッチ１１とノズル除菌スイッチ１６のそれぞれの組合わせた操作スイッチは、サービスマン等の一般ユーザーでない人が図４に示す衛生洗浄装置１７に図３（ａ）のテーブルの図に示すように特殊設定１〜３を行う時に、一定時間同時に操作するものである。また、停止スイッチ４と後スイッチ１２は、一般ユーザーが使用頻度の低い設定変更を、図４に示す衛生洗浄装置１７に図３（ｂ）に示すテーブルの図のようにユーザ設定を行う時に、サービスマン等の一般ユーザーでない人が行う特殊な設定時に同時操作する複数の操作スイッチと同じ操作スイッチを同時に操作し、かつサービスマン等の一般ユーザーでない人が行う特殊な設定時における複数の操作スイッチの同時操作の一定時間のみ異なる短い時間の同時操作するものである。
【００２２】
このようなリモコン本体１は、内蔵するマイクロコンピュータとその周辺回路からなる制御部（図示せず）に、図３（ａ）に示すリモコン装置の特殊な設定の操作スイッチの組合せテーブルおよび図３（ｂ）に示すユーザ設定のテーブルを格納している。
【００２３】
そして、リモコン本体１は、停止スイッチ４とビデスイッチ６、ノズル除菌スイッチ１
６と温水温度スイッチ１３、前スイッチ１１とノズル除菌スイッチ１６、停止スイッチ４と後スイッチ１２の各組合せの操作スイッチの操作信号を受けると、この各組合せの操作信号に対応する特殊設定、ユーザ設定を、制御部の格納部の図３（ａ）に示すテーブルおよび図３（ｂ）に示すテーブルから読み出して、特殊設定１〜３、そしてユーザ設定を行えるように図４に示す衛生洗浄装置１７に制御信号を送る構成にしてある。なお、前記したリモコン本体１の制御部は、図４に示す衛生洗浄装置１７の制御部２０側に設けてもよいものである。
【００２４】
以下に、図４に示す衛生洗浄装置１７に搭載して本発明のリモコン装置の特殊設定およびユーザ設定につき、図３（ａ）、（ｂ）に示すテーブルの一例に従い説明する。
【００２５】
図３（ａ）において、最左列から順に、説明のために表記した特殊設定、同時に操作する一方の操作スイッチ、同時に操作する他方の操作スイッチ、同時押し確定に要する時間、設定変更される機能を記載している。図３（ａ）に示すテーブルは、サービスマン等、一般ユーザーでない人が行う特殊設定の操作方法を示したものである。
【００２６】
特殊設定１の操作は、店頭用のデモストレーションモードの設定用である。主に店頭販売員が操作し、一般ユーザーには操作方法は開示されていないものである。この特殊設定１は、停止スイッチ４とビデスイッチ６の同時押しの組合せにより行い、図１から明らかなように、お互いの操作スイッチは、隣接せず十分離れて配置されているため、操作スイッチが小さい、または使用者の手の指が大きい場合であっても、誤って同時に操作される可能性はほとんどない。同時押し確定時間も７秒と、意図的に操作しないと確定しないよう十分長くしているため、さらに、誤操作されにくい構成としている。
【００２７】
特殊設定２の操作は、衛生洗浄装置１７における臭いを吸収しフィルタで浄化する脱臭機能２１の脱臭モードの変更用である。ごく稀に、脱臭機能１７の脱臭ファンの動作音にご不満のお客様のために、サービスマンが個別に訪問し、脱臭ファンの動作開始タイミングや風量の変更を行うためのものである。
【００２８】
この特殊設定２は、ノズル除菌スイッチ１６と温水温度スイッチ１３の同時押しの組合せにより行い、図１から明らかなように、お互いの操作スイッチは、隣接せず十分離れて配置されており、かつ蓋体２を閉じた時に覆われる内側の操作面１ｂに配置されているため、蓋体２を開けた後に、ノズル除菌スイッチ１６と温水温度スイッチ１３の複数の操作スイッチを同時に押すという２段階の操作を必要とし、このためさらに、誤操作されにくい構成となっている。
【００２９】
特殊設定３の操作は、衛生洗浄装置１７の待機時の便座１９の保温温度の変更用である。本発明の衛生洗浄装置１７では、待機時に便座を低温で保温しておき、使用時に高速で設定温度まであたためる機能があり、ごく稀に、設定温度まで便座が温まるのが遅いご不満のお客様のために、サービスマンが個別に訪問し、待機時の便座１９の保温温度を変更し、暖め時間を速くするために行うものである。
【００３０】
この特殊設定３は、前スイッチ１１とビデスイッチ６の同時押しの組合せにより行う。図１から明らかなように、お互いのスイッチは、蓋体のない操作面と蓋体を閉じた時に覆われる内面とに配置されているため、蓋体を開けた後に、複数のスイッチを同時に押すという２段階の操作を必要とされる。また、蓋体のない操作面と蓋体を閉じた時に覆われる内面という異なる操作面に十分離れて配置いるため、さらに、誤操作されにくい構成となっている。
【００３１】
図２（ｂ）は、一般ユーザーが行う使用頻度の低い設定変更の操作方法を示したもので
ある。ユーザ設定の操作は、衛生洗浄装置１７の洗浄機構１８の洗浄開始時の洗浄強さと洗浄位置の変更用である。本発明の衛生洗浄装置１７では、洗浄機構１８の前回使用時の洗浄強さと洗浄位置にて、洗浄を開始する動作が標準設定となっているが、ユーザーの好みに応じて、使用終了毎に洗浄強さ、洗浄位置を初期設定（中）に戻す動作に変更することができる。操作方法は、衛生洗浄装置１７の取扱説明書に記載され、ユーザーに開示されている。
【００３２】
このユーザ設定は、停止スイッチ４と後スイッチ１２の同時押しの組合せにより行い、図１から明らかなように、お互いの操作スイッチは、隣接せず十分離れて配置されている。また、同時押し確定時間は２秒と、図２（ａ）のサービスマンが行う特殊設定の確定時間、７秒よりも短くしている。このため、操作スイッチの誤操作を防止しかつ、ユーザーの意図的な設定操作を使い勝手よく行うことができる。
【００３３】
また、ユーザ設定の変更完了時にリモコン本体１および、衛生洗浄装置１７における表示や音声、ブザー音等で報知することで、さらに操作スイッチの誤操作を少なく、使い勝手をよくすることができる。
【００３４】
なお、図４に示す衛星洗浄装置１７は、便器２２の上に置かれた便座１９の後部に一体に設けられ、内部に洗浄機構１８、制御部２０、脱臭機構２１等を内装している。２３は便蓋である。
【産業上の利用可能性】
【００３５】
本発明は、リモコン装置にて遠隔操作を行う民生機器に利用することができる。
【図面の簡単な説明】
【００３６】
【図１】本発明の実施の形態１におけるリモコン装置の操作面の正面図
【図２】同実施の形態１におけるリモコン装置の蓋体を開いた時の要部正面図
【図３】同実施の形態１におけるリモコン装置の特殊な設定とユーザ設定時の操作スイッチの組合せテーブルを示し、（ａ）サービスマンによる特殊な設定時の操作する複数の操作スイッチの組合せテーブルの図、（ｂ）ユーザ設定の操作する複数の操作スイッチの組合せテーブルの図
【図４】図１に示す本発明のリモコン装置を搭載した本発明の衛生洗浄装置を有する便座装置及び便器の斜視図
【符号の説明】
【００３７】
１  リモコン本体
１ａ、１ｂ  操作面
２  蓋体
４  停止スイッチ（操作スイッチ）
５  おしりスイッチ
６  ビデスイッチ（操作スイッチ）
７  リズムスイッチ
８  弱スイッチ
９  強スイッチ
１０  ムーブスイッチ
１１  前スイッチ（操作スイッチ）
１２  後スイッチ（操作スイッチ）
１３  温水温度スイッチ（操作スイッチ）
１４  便座温度スイッチ
１５  省エネスイッチ
１６  ノズル除菌スイッチ（操作スイッチ）
【図３】
2010065495.tif 000003
【図４】
2010065495.tif 000004
【図１】
2010065495.tif 000005
【図２】
2010065495.tif 000006